(57)【要約】【課題】改装作業の効率を上げるとともに、取付け強度を強化してグラツキ等を防止し、さらに、アタッチメント取付けない状態でも、嵌め殺しガラス用サッシ枠として使用でき、アタッチメント取付けた状態では、各種障子を装着可能とした、着脱自在な改装サッシを提案する。【解決手段】建物の開口部に設けられる嵌め殺しガラス用サッシ上下枠１，２及び左右縦枠３，４と、該サッシ枠内に取付けられ、内側に各種障子を装着可能な第２のサッシ枠体を形成する着脱自在なアタッチメントと、を備えた改装サッシであって、前記アタッチメントには、係止部５１ｄ，５１ｅ：５３ｄ，５３ｅ等が形成され、この係止部５１ｄ，５１ｅ：５２ｄ等と前記嵌め殺しガラス用サッシ枠のガラス溝に形成された被係止部１ｆ，１ｇ：２ｆ等とが着脱自在に係止し、かつ、前記ガラス溝よりも室内側の内周面上に位置する部分で、ビス６２により前記アタッチメントが、前記嵌め殺しガラス用サッシ枠に着脱自在に取付けられることで解決される。【選択図】図７
2005023574.tif 000002
【特許請求の範囲】
【請求項１】
建物の開口部に設けられる嵌め殺しガラス用サッシ枠と、該サッシ枠内に取付けられ、内側に各種障子を装着可能な第２のサッシ枠体を形成する着脱自在なアタッチメントと、を備えた改装サッシであって、
前記アタッチメントには、係止部が形成され、この係止部と前記嵌め殺しガラス用サッシ枠のガラス溝に形成された被係止部とが着脱自在に係止し、
かつ、前記ガラス溝よりも室内側の内周面上に位置する部分で、固着部材により前記アタッチメントが、前記嵌め殺しガラス用サッシ枠に着脱自在に取付けられる、
ことを特徴とする改装サッシ。
【請求項２】
前記被係止部は、前記嵌め殺しガラス用サッシ枠のガラス溝の少なくとも室外側に形成された、ガスケットを嵌合するための嵌合部である、請求項１記載の改装サッシ。
【請求項３】
前記固着部材は、螺刻された雄ネジ部材である、請求項１又は２記載の改装サッシ。
【発明の詳細な説明】
【０００１】
【発明の属する技術分野】
本発明は、建物の開口部における改装自在な改装サッシに関する。
【０００２】
【従来の技術】
一般的に、建物の改装や用途変更等に伴って、建物の開口部であるサッシの種類を変更する際には、サッシ枠（窓枠）を覆っている内外装を一部破壊するとともに、建物の躯体の一部をはつり取る必要がある。
【０００３】
しかし、サッシの種類を変更するたびに、内外装の一部を破壊することは大掛かりであり、作業の手間やコストが掛かる。また、建物の躯体の一部をはつり取ることは、建物の構造体に対して悪影響を及ぼしかねない。
【０００４】
そこで、従来より、内外装や躯体を破壊することなく、交換可能な改装サッシが多く提案されている。その中で、予め、開口部に障子を装着するサッシ枠とは別に、該サッシ枠を支持する支持枠を取付けておき、この支持枠の内部にサッシ枠を着脱自在に係止する構成とすることで、サッシ枠交換時の取付け作業性を向上させ、容易に改装可能なサッシが提案されている（例えば、特許文献１参照）。
【特許文献１】
特開平１１−１１７６１５号公報（９乃至１３頁、図１乃至１５）
【０００５】
【発明が解決しようとする課題】
上記提案では、支持枠の内でのサッシ枠の交換なので、取付け作業性を向上させ、容易に改装可能な点では優れている。しかしながら、支持枠は、障子を装着するサッシ枠を支持するためだけのものであるため、支持枠自身に各種障子を取付けることは不可能であり、部品点数が増えるだけで、費用対効果の点で問題がある。
【０００６】
また、取付け作業性を向上させるために、サッシ枠の上端部と下端部とを支持枠に引っ掛けて取付けを行うのみで、グラツキの発生等の取付け強度的な観点からも問題がある。
【０００７】
そこで、本発明の主たる課題は、改装作業の効率を上げるとともに、取付け強度を強化してグラツキ等を防止し、さらに、アタッチメント取付けない状態でも、嵌め殺しガラス用サッシ枠として使用でき、アタッチメント取付けた状態では、各種障子を装着可能とした、着脱自在な改装サッシを提案することにある。
【０００８】
【課題を解決するための手段】
上記課題を解決した本発明は、次のとおりである。
＜請求項１記載の発明＞
請求項１記載の発明は、建物の開口部に設けられる嵌め殺しガラス用サッシ枠と、該サッシ枠内に取付けられ、内側に各種障子を装着可能な第２のサッシ枠体を形成する着脱自在なアタッチメントと、を備えた改装サッシであって、前記アタッチメントには、係止部が形成され、この係止部と前記嵌め殺しガラス用サッシ枠のガラス溝に形成された被係止部とが着脱自在に係止し、かつ、前記ガラス溝よりも室内側の内周面上に位置する部分で、固着部材により前記アタッチメントが、前記嵌め殺しガラス用サッシ枠に着脱自在に取付けられる、ことを特徴とする改装サッシである。
【０００９】
（作用効果）
嵌め殺しガラス用サッシ枠と、該サッシ枠内に取付けられ、内側に各種障子を装着可能な第２のサッシ枠体を形成する着脱自在なアタッチメントとを備えていることにより、アタッチメントを取付けていない状態でも、嵌め殺しガラス用サッシ枠として使用可能で、アタッチメントを取付けた状態では、各種障子を装着可能となっている。
【００１０】
また、アタッチメントには、係止部が形成され、この係止部と嵌め殺しガラス用サッシ枠のガラス溝に形成された被係止部とが着脱自在に係止し、かつ、前記ガラス溝よりも室内側の内周面上に位置する部分で、固着部材によりアタッチメントが、嵌め殺しガラス用サッシ枠に着脱自在に取付けられる構成としていることにより、第１に、改装作業の効率を上げることができる。
【００１１】
具体的には、アタッチメントの取付けに際し、係止部と被係止部とを係止させることにより、容易に一次固定を行うことができ、それにつづく固着部材による固定作業において、わざわざアタッチメントを作業者が手で押さえながら固定する必要がなく、固定作業を容易に行うことができる。また、取外しにおいても、上述と同様の理由により、作業者がアタッチメントを手で抑える必要なく、固着部材を取外すことができ、最終的に、係止状態を解除することで、取外し作業を容易に行うことができる。
【００１２】
第２に、アタッチメント取付け状態において、係止部と被係止部との係止に加え、固着部材による固定を行い、取付け強度を強化しているため、グラツキ等はない。
【００１３】
＜請求項２記載の発明＞
請求項２記載の発明は、前記被係止部は、前記嵌め殺しガラス用サッシ枠のガラス溝の少なくとも室外側に形成された、ガスケットを嵌合するための嵌合部である、請求項１記載の改装サッシである。
【００１４】
（作用効果）
嵌め殺しガラス用サッシ枠のガラス溝に形成された被係止部が、ガラス溝の少なくとも室外側に形成された、ガスケットを嵌合するための嵌合部を兼用していることで、部品点数を抑えることができる。
【００１５】
また、アタッチメントの取付けの際は、ガスケットを抜脱するとともにガラスを外すという作業だけで、アタッチメントの取付け作業に取り掛かれるので、改装作業が楽である。また、アタッチメントを取外し、嵌め殺しガラス用サッシ枠のガラス溝にガラスを嵌め入れ、ガスケットを嵌合させるだけで嵌め殺しガラス窓が容易に形成できる。
【００１６】
＜請求項３記載の発明＞
請求項３記載の発明は、前記固着部材は、螺刻された雄ネジ部材である、請求項１又は２記載の改装サッシである。
【００１７】
（作用効果）
固着部材は、螺刻された雄ネジ部材とすることにより、アタッチメントの着脱が容易であり、かつ、アタッチメントを取付けた状態での取付け強度は強固である。
【００１８】
【発明の実施の形態】
次に、本発明の実施の形態を説明するに先立って、本発明の理解を深めるために、実施の形態に含まれる、嵌め殺しガラス用サッシ枠（嵌め殺しサッシ）を包含するサッシの枠組み構造についての実施態様を予め説明しておく。
【００１９】
『実施態様の説明』
従来より、店舗やビル外壁などのサッシの枠組み構造で、特に、半外付け（一部が外壁面より突出する）の鉄骨枠に取付ける嵌め殺しサッシに関するサッシの枠組み構造としては、上枠と左右の縦枠の横断面は同形に形成され、上枠と下枠の各々の両端面が左右の縦枠に当接して結合され、縦枠の中空部の端部開口を遮蔽するキャップが縦枠の上部及び下部に取付けられたものが知られている。
【００２０】
しかし、この枠組み構造は、横枠と縦枠とを単にそのまま突き合わせてビス固定するので、ビス固定の位置が確認し難く、また、結合（連結）に際しで２ヶ所ビス固定しなければならず、枠組み作業に多大な手間がかかる。
【００２１】
さらに、縦枠上端部及び下端部にその中空部の開口が露出するので、端部開口を遮蔽するコーナーキャップを取付けて気水密性を図るものであり、その分、部品点数が多くなり、かつ組み立てに手間がかかる。また、コーナーキャップは嵌合によるもので必ずしも気水密性が万全ではない。
【００２２】
しかも、店舗用の場合、デザインの関係で見込み寸法が小さいことが望ましいが、従来例では、この点に関しての配慮がなされていない。
【００２３】
したがって、本発明の主たる課題は、組み立て枠組みを容易なものとし、さらに縦枠端部の気水密性を併せて図ることにある。
【００２４】
他の課題は、デザインの要求から見込み寸法を小さくしながらデザイン性を高め、ビス固定が１箇所で十分な枠組み構造とすることにある。
【００２５】
上記課題を解決するための実施の態様は、次記のとおりである。
＜実施の態様１＞
実施の態様１は、上下横枠材と左右縦枠材とをビス止めにより枠組みしたサッシにおいて、
前記左右縦枠材は端に開口する中空部を有し、上枠材は横断面において本体壁から下方に延びる内側部を有し、
前記上枠材の両端部において前記本体壁を残して下方の内側部をそれぞれ切除し、この切除部に各縦枠材の上端部を当接し、縦枠材の中空部を前記上枠材の本体壁で覆う状態で、縦枠材の上端部の内方部分と前記内側部の未切除部とをビス止めして枠組みしたことを特徴とするサッシの枠組み構造である。
【００２６】
＜作用効果＞
この実施の態様１では、上記従来技術のように上枠と下枠の各々の両端面が左右の縦枠に当接して枠組みするのではなく、上枠材の両端部において本体壁を残して下方の内側部をそれぞれ切除し、この切除部に各縦枠材の上端部を当接し、縦枠材の中空部を上枠材の本体壁で覆う状態で枠組みしたものである。
したがって、縦枠材の中空部は上枠材の本体壁で覆われるので、ここで基本的に気水密性は確保される、コーナーキャップは不要となり、部品点数を削減でき経済的である。
【００２７】
さらに、連結・結合部は、縦枠材の上端部の内方部分が、上枠材の本体壁と内側部の未切除部の端面との２面に当接する状態でビス止めして枠組みしたので、枠組みの位置決めは容易であり、見込み方向の１箇所でのビス止めで安定した枠組みが可能であり、枠組み後の変形に関し、縦枠材の中空部を上枠材の本体壁で覆うので、耐変形性が十分である。１本のビス固定で足りることは、特に、ビスの位置決めに手間を要する観点から大幅な手数の削減となる。
【００２８】
特にサッシを店舗用とする場合に、デザインに優れることは重要であるところ、見込み方向に関し１本のビス固定で十分であることは、枠材の見込み寸法を小さくでき、結果としてデザインに優れたものとなる。
【００２９】
＜実施の態様２＞
実施の態様２は、上下横枠材及び左右縦枠材は実質的に同一の横断面を有し、上枠材にも端に開口する中空部が形成されている実施の態様１記載のサッシの枠組み構造である。
【００３０】
＜作用効果＞
この実施の態様２では、中空部は枠材の強度を高める作用効果を有している。
【００３１】
＜実施の態様３＞
実施の態様３は、縦枠材の上端部の内方部分と上枠材の内側部の未切除部との間にシール手段を介在させた実施の態様１または２記載のサッシの枠組み構造である。
【００３２】
＜作用効果＞
実施の態様１において、本体壁を残して下方の内側部をそれぞれ切除し、この切除部に各縦枠材の上端部を当接しにおける「当接」とは、直接接触する場合のほか、「シール手段」あるいは「封止材」を介して当接する場合も含むものである。そして、シール手段を介在させることでより気水密性を高めることができる。なお、上記従来技術においては、上枠及び下枠の各々の両端面と左右の縦枠との当接面における気水密に関して考慮がない。
【００３３】
＜実施の態様４＞
実施の態様４は、縦枠材の中空部端と上枠材の本体壁との間に封止材と介在させた実施の態様１〜３のいずれか１項に記載のサッシの枠組み構造である。
【００３４】
＜作用効果＞
実施の態様４では、封止材を介在させることでより気水密性を高めることができる。
【００３５】
＜実施の態様５＞
実施の態様５は、封止材が圧縮可能な材料からなり、縦枠材の上端部の内方部分から上枠材の内側部の未切除部へとビスを打ち込むときに、封止材の圧縮代を見込んで、前記上枠材の内側部の未切除部へのビスの打ち込む位置を決めて、ビスを打ち込み、ビスの止め付け状態で、縦枠材の中空部端を前記上枠材の本体壁側に押圧させ封止材を圧縮させて封止の強化を図っている実施の態様４記載のサッシの枠組み構造である。
【００３６】
＜作用効果＞
実施の態様５では、ビス止め枠組み時において、縦枠材の中空部端を上枠材の本体壁側に押圧させ封止材を圧縮させると、封止（たとえば気水密）の強化を図ることができる。
【００３７】
＜実施の態様６＞
実施の態様６は、上下横枠材及び左右縦枠材は実質的に同一の型材からなり、枠組み用ビスホールが通しで形成されている実施の態様１または５記載のサッシの枠組み構造である。
【００３８】
＜作用効果＞
実施の態様６では、上下横枠材及び左右縦枠材は同一の型材からなり、枠組み用ビスホールが通しで形成されていると、縦枠材の上端部の内方部分における、その縦枠材のビスホールを打ち込み開始点として、上枠材のビスホールにビス打ち込むので、常に、上枠材と縦枠材との内外方向の位置を正規な位置として設定でき、正確な枠組み可能となる。また、金型材の削減ともなる。
【００３９】
『具体的な実施の形態』
以下、本発明が包含する実施の形態を図面を参照しながら説明する。
【００４０】
＜嵌め殺しガラス用サッシ枠（嵌め殺しサッシの枠組み構造）＞
嵌め殺しガラス用サッシ枠（嵌め殺しサッシの枠組み構造）について、主に図１乃至６に基づき説明する。
本発明のサッシは、上下横枠材１、２と左右縦枠材３、４とをビス５止めにより枠組みしたものである。
【００４１】
実施の形態での上横枠材１及び左右縦枠材３、４は、同一型材（横断面同一）からなるものである。下横枠材２については、ガラスの嵌め込みのために押縁を使用する関係で、横断面形状が異なる。
【００４２】
上下横枠材１、２及び左右縦枠材３、４は、本体壁１Ａ，２Ａ，３Ａ，４Ａ、及びこれらの見込み方向中間から外方に張出す固定片１Ｂ，２Ｂ，３Ｂ，４Ｂを有する。さらに、それぞれ室内側には中空部１Ｈ，２Ｈ，３Ｈ，４Ｈが構成されている。すなわち、本体壁１Ａ，２Ａ，３Ａ，４Ａから、内方に張出す中央片１ａ，２ａ，３ａ，４ａ、及び室内片１ｂ，２ｂ，３ｂ，４ｂ、並びにこれらを繋ぐ繋ぎ片１ｃ，２ｃ，３ｃ，４ｃにより、両端開口の中空部１Ｈ，２Ｈ，３Ｈ，４Ｈが構成されている。
【００４３】
後述の形態で枠組みされたサッシは、たとえば、鉄骨などからなる躯体６Ａ，６Ｂに、固定片１Ｂ，２Ｂ，３Ｂ，４Ｂを通して上下横枠材１、２及び左右縦枠材３、４がネジ７などにより固定されている。
【００４４】
本体壁１Ａ，２Ａ，３Ａ，４Ａの室内側には、内方に張出す室外片１ｄ，２ｄ，３ｄ，４ｄが形成されている。室外片１ｄ，３ｄ，４ｄは、中央片１ａ，３ａ，４ａと離間しており、ガラス８などの面材の呑み込み溝とされている。これに対し、室外片２ｄは、押縁９の係止部分とされ、押縁９が中央片２ａとの間でガラス８の下部を保持している。１０、１１はガラス８の支持用ガスケットである。１２はセッティングブロックである。
【００４５】
上下横枠材１、２及び左右縦枠材３、４の見込み方向の室外側寄りにおいて、外壁１３が形成され、室内においてはブラケット１４により内装材１５が取り付けられている。
【００４６】
次に、枠組み形態及び方法について説明する。
本実施の形態では、上枠材１について、本体壁１Ａに対する内側部としては、中央片１ａ、室内片１ｂ、繋ぎ片１ｃ及び室外片１ｄである。
【００４７】
まず、枠組み前において、上枠材１の両端部において本体壁１Ａを残して下方の内側部、すなわち中央片１ａ、室内片１ｂ、繋ぎ片１ｃ及び室外片１ｄをそれぞれ切除する。この切除状態を図４及び図５に示してある。切除は、左右縦枠材３、４の見込み寸法と同一の見付け寸法で横方向に、かつ本体壁１Ａの肉厚分を残して行うのが望ましい。
【００４８】
次いで、この切除部に各縦枠材３、４の上端部を当接し、縦枠材３、４の中空部３Ｈ，４Ｈを上枠材１の本体壁１Ａで覆う状態で、縦枠材３、４の上端部の内方部分、実施の形態では繋ぎ片３ｃ，４ｃと、上枠材１の内側部の未切除部１Ｚ（図４参照）に当接する状態で、実施の形態では繋ぎ片１ｃに形成されたビスホールＸとをビス５止めする（具体的にはタップネジによりタップを立てながらねじ込む）。または、図示はしないが、繋ぎ片４ｃに予め、ビスホールＸと同位置になるようにビス孔を形成しておき、このビス孔を介してビス止めをしてもよい。
【００４９】
この場合、上枠材１と右縦枠材４との関係で説明すると、図５及び図６に示すように、右縦枠材４の上端部の内方部分（繋ぎ片４ｃ）と、上枠材１の内側部の未切除部Ｚ、具体的には中空部１Ｈを塞ぐように、中央片１ａ、室内片１ｂ、繋ぎ片１ｃとの間にシール手段２０、たとえばシーリング材を介在させるのが望ましい。シール手段はゴムなどの可撓性材料でもよい。
【００５０】
さらに、縦枠材４の中空部端、実施の形態では中央片４ａ、室内片４ｂ、繋ぎ片４ｃと上枠材１の本体壁１Ａとの間に封止材２１を介在させるのが望ましい。
【００５１】
封止材２１としては、ゴムや不連続プラスチック発泡体などの弾性をもって圧縮可能な材料が望ましい。その際に、図６に示すように、縦枠材４の上端部に形成したビス挿入ホール４ｈを通したビス５を、上枠材１の内側部の未切除部Ｚへと打ち込むときに、封止材２１の圧縮代を見込んで、上枠材１の内側部の未切除部へのビス５の打ち込む位置を決めて、ビス５を打ち込み、ビス５の止め付け状態で、縦枠材４の中空部端を上枠材１の本体壁１Ａ側に押圧させ封止材２１を圧縮させて封止の強化を図るのが望ましい。
【００５２】
より具体的には、上枠材１の本体壁１ＡとビスホールＸ中心との離間距離に対し、｛（封止材２１の圧縮代）＋（縦枠材４の上端とビス５の打ち込み位置との離間距離）｝が一致するように、ビス５の打ち込み位置を設定すれば、ビス５の打ち込み過程で、図６のように、縦枠材４が上方に移動し封止材２１を圧縮しながらビス５による連結が図られる。
【００５３】
かかる連結は、上枠材１と左縦枠材３との間でも行われる。さらに、望ましくは、下枠材２と左右縦枠材３，４と同様に連結する。
【００５４】
かくして枠組みしたサッシは前述のように躯体に固定される。
【００５５】
ここで、隣接する固定片１Ｂ，２Ｂ，３Ｂ，４Ｂの角部は、そのままでは空いてしまい、窓枠と外壁材との間にシール３１を施工ときに、シールが不十分となるので、望ましくは、隣接する固定片１Ｂ，２Ｂ，３Ｂ，４Ｂの室外側面において、それらに跨って、ゴム、プラスチック、金属板などのコーナープレート３０を当てて、シール材のバックアップに利用するのが望ましい。
【００５６】
＜アタッチメントの構成＞
以下、図７乃至１０に基づき、本発明に係るアタッチメントの一実施例について、詳しくは、図７乃至１０に示すように、外倒し障子５６を装着したアタッチメントについて説明する。
【００５７】
本発明に係るアタッチメントは、アタッチメント上枠５１、アタッチメント下枠５２、室内側から見て左縦枠５３、同じく室内側から見て右縦枠５４から構成される。
【００５８】
各枠体について具体的に説明すると、まず、アタッチメント上枠５１は、上枠材１の内周面を覆う板状部材である本体板５１Ａと、該本体板５１Ａの室内側端から下方に延在する室内片５１ａと、本体板５１Ａの室外側端から下方に延在する室外片５１ｂと、上枠材１のガラス溝の支持用ガスケット１０，１１を嵌合するための嵌合突起部を被係止部１ｆ，１ｇとして、本体板５１Ａの上面（裏面）のから起立し、この被係止部１ｆ，１ｇに係止する係止部を有する係止片５１ｄ，５１ｅと、からなっている。
【００５９】
さらに詳しくは、室外片５１ｂと、これに隣接して本体板５１Ａに設けられた補強材との隙間に水切り６０が嵌合されている。この水切り６０は、ゴム、プラスチックや、その他硬質樹脂や軟質樹脂等からなっており、室外側の先端部は斜め下方に傾斜する庇形状になっており、上枠１の室外片１ｄやアタッチメントの室外片５１ｂに沿って流れ落ちる雨水等の水滴が、外倒し障子５６につたわることを防止している。
【００６０】
また、室内片５１ａの下方側の先端部には、タイト材６１を嵌合するための嵌合突起部５１ｆ，５１ｆが設けられている。このタイト材６１は、外倒し障子５６の上框５６ａの室内面に当接若しくは密接して、アタッチメント上枠５１と障子６０の上框天端との隙間から流入する外気や雨水が、室内に入り込むことを防止している。
【００６１】
さらに、室内片５１ａの室内面には、外倒し障子５６の上框５６ａに設けられた開閉のためのレバー５６ｄと協働する、外倒し障子５６の位置制御ためのアーム５５が取付けられている。このアーム５５をアタッチメント上枠５１と一体に固定して取付けておけば、取付け作業を向上させることができる。当然のことながら、このアーム５５は、アタッチメントに装着される障子が、例えば引き違い障子等であれ必要がないことは言うまでもない。
【００６２】
アタッチメント上枠５１と上枠材１との固定について説明すると、前述した、本体板５１Ａの上面（裏面）から起立した断面略三角形状の係止部を有する係止片５１ｄ，５１ｅが、被係止部１ｆ，１ｇに係止することで固定されている。それとともに、上枠材１に形成された、ガラス溝よりも室内側の内周面の部分である繋ぎ片１ｃと、補強材６３を介して、この繋ぎ片１ｃの位置を投影した本体板５１Ａとの部分に、雄ネジ材であるビス６２が嵌入され螺着されることで固定されている。ここで、係止による固定とビスによる固定との二重固定構造を採用しているので、取付け強度が強化されているため、グラツキ等はなく、またビス打ちピッチも４００ｍｍと従来例に比べて比較的ピッチ間隔が広くできるので、ビス打ち作業が軽減され、さらに内観若しくは外観デザイン上わずらわしくない。なお、取付け強度的には、係止片５１ｄ，５１ｅの両方の存在により、被係止部１ｆ，１ｇに係止することが望ましいが、ガラス溝の室外側の被係止部１ｆと係止片５１ｄとのみによる係止でも問題はない。
【００６３】
次に、アタッチメント下枠５２について説明すると、アタッチメント下枠５２は、上枠材１の内周面を覆う板状部材であり、水切り板として機能させるべく室外側にやや下方に傾斜させた本体板５２Ａと、該本体板５２Ａの室内側端から上方に延在し、下方端において室内片２ｂに当接する室内片５２ａと、；本体板５１Ａの室外側端から下方に延在し、押さえ縁９を係止するための室外片２ｄの先端の突起を被係止部２ｆとして、先端に該被係止部２ｆに係止する係止部５２ｄを有する室外片５２ｂと；、本体板５１Ａの略中間において下面（裏面）から下方に延在し、かつ下枠材２の中央片２ａ上に当接して、アタッチメント下枠５２にかかる荷重を下枠材２につたえる中央片５２ｃと、からなっている。
【００６４】
なお、上記構成に関してであるが、図１に示されるように押縁９が下枠材２と分離しているのは、ガラス８を装着及び取外しする際の作業性を向上させるためのものであるから、必ずしも分離している必要はなく、下枠材２と押縁９を一体成形してもよい。この場合、室外片５２ｂの係止部５２ｄが係止する被係止部は、図示はしないが、一体化した押縁の支持用ガスケット１０を嵌合するための嵌合突起部となる。
【００６５】
さらに詳しくは、室内片５１ａの上方側の先端部には、タイト材６１を嵌合するための嵌合突起部５２ｆ，５２ｆが設けられている。このタイト材６１は、外倒し障子５６の下框５６ｂの室内面に当接若しくは密接して、アタッチメント下枠５２と外倒し障子５６の下框５６ｂの下端との隙間から流入する外気や雨水が、室内に入り込むことを防止している。
【００６６】
アタッチメント下枠５１と下枠材２との固定について説明すると、前述した、本体板５１Ａの室外側端から下方に延在し、先端に係止部５２ｄを有する室外片５２ｂが、被係止部２ｆに係止することで固定されている。それとともに、下枠材２に形成された、ガラス溝よりも室内側の内周面の部分である繋ぎ片２ｃと、逆Ｌ字形状の補強材６４及び外倒し障子５６の下框５６ｂ下方に設けられたヒンジを介して、この繋ぎ片１ｃの位置を投影した本体板５２Ａの部分に、雄ネジ材であるビス６２が嵌入され螺着されることで固定されている。ここで、係止による固定とビスによる固定との二重固定構造を採用しているので、取付け強度が強化されているため、グラツキ等はなく、またビス打ちピッチも４００ｍｍと従来例に比べて比較的ピッチ間隔が広くできるので、ビス打ち作業が軽減され、さらに内観若しくは外観デザイン上わずらわしくない。
【００６７】
次に、アタッチメント左縦枠５３、アタッチメント右縦枠５４についてであるが、構造的な意味において、アタッチメント左縦枠５３とアタッチメント右縦枠５４とは左右対称であるので、アタッチメント右縦枠５４の説明は省略し、アタッチメント左縦枠５３についてのみ説明する。
【００６８】
アタッチメント左縦枠５３は、左縦枠材３の内周面を覆う略板状部材である本体板５３Ａと、左縦枠材３のガラス溝の支持用ガスケット１０，１１を嵌合するための嵌合突起部を被係止部３ｆ，３ｇとして、本体板５３Ａの左面（裏面）から起立し、この被係止部３ｆ，３ｇに係止する係止部を有する係止片５３ｄ，５３ｅと、本体板５３Ａの右面の略中間から起立し、外倒し障子５６の回転軸を保持する軸受け５６ｅを挟持する挟持片５３ｇ，５３ｇと、からなっている。
【００６９】
さらに詳しくは、室内片５３ａの内方側の先端部には、タイト材６１を嵌合するための嵌合突起部５３ｆ，５３ｆが設けられている。このタイト材６１は、障子６０の左縦框の室内面に当接若しくは密接して、アタッチメント左縦枠５３と外倒し障子５６の左縦框５６ｃ左端との隙間から流入する外気や雨水が、室内に入り込むことを防止している。
【００７０】
アタッチメント左縦枠５３と左縦枠材３との固定について説明すると、前述した、本体板５３Ａの左面（裏面）から起立した断面略三角形状の係止部を有する係止片５３ｄ，５３ｅが、被係止部３ｆ，３ｇに係止することで固定されている。それとともに、左縦枠材３に形成された、ガラス溝よりも室内側の内周面の部分である繋ぎ片３ｃと、この繋ぎ片３ｃの位置を投影した本体板５３Ａとの部分に、雄ネジ材であるビス６２が嵌入され螺着されることで固定されている。ここで、係止による固定とビスによる固定との二重固定構造を採用しているので、取付け強度が強化されているため、グラツキ等はなく、またビス打ちピッチも４００ｍｍと従来例に比べて比較的ピッチ間隔が広くできるので、ビス打ち作業が軽減され、さらに内観若しくは外観デザイン上わずらわしくない。なお、取付け強度的には、係止片５３ｄ，５３ｅの両方の存在により、被係止部３ｆ，３ｇに係止することが望ましいが、ガラス溝の室外側の被係止部３ｆと係止片５３ｄとのみによる係止でも問題はない。
【００７１】
なお、本発明に係るアタッチメントの他の実施例については、図９に示すように、下部を上枠材１と同形で、かつ上部を下枠材２と同形の中桟５７を設けることにより、この中桟５７を境として、下方に嵌め殺しガラスを装着し、上方に、外倒し障子５６を装着する構成とすることが可能である。
【００７２】
また、装着可能な障子についてであるが、障子としては、外倒し障子のみに限られるものではなく、図示はしないが、内倒し障子でもよく、少なくともアタッチメント上枠５１の本体部５１Ａ及び下枠５２の本体部５２Ａに、レール部材を設けることによって、引き違い障子を装着することができる。さらに、適宜変更を加えることにより、すべり出し障子、突き出し障子、内開き障子、外開き障子等が装着可能となる。
【００７３】
＜アタッチメントの取付け及び取外し＞
以下に、アタッチメントの取付け方法について説明する。
先に、上下枠材１，２及び左右縦枠材３，４に形成されたガラス溝に嵌合されているガスケット１０，１１を抜脱するとともに、下枠材２に係止されている押縁９を外し、ガラス８を取外す。そして、アタッチメント左縦枠５３及びアタッチメント右縦枠５４を左右縦枠材３，４に取付ける。この取付けを、アタッチメント左縦枠５３の場合について説明すると、一次固定として、本体板５３Ａの左面（裏面）のから起立した断面略三角形状の係止部を有する係止片５３ｄ，５３ｅを、被係止部３ｆ，３ｇに係止させる。その後、二次固定として、左縦枠材３に形成された、ガラス溝よりも室内側の内周面の部分である繋ぎ片３ｃと、この繋ぎ片３ｃの位置を投影した本体板５３Ａとの部分に、雄ネジ材であるビス６２を嵌入し螺着する。この作業を、アタッチメント右縦枠５４についても同様に行う。
【００７４】
なお、アタッチメント左縦枠５３及びアタッチメント右縦枠５４の取付けについては、どちらを先に行ってもよく、作業者が２人以上の場合は、両方同時に行ってもよい。
【００７５】
次に、アタッチメント上枠５１及び下枠５２を取付ける。アタッチメント上枠５１及びアタッチメント下枠５２については、どちらから取付けても、あるいは同時に取付けてもよいが、アタッチメント上枠５１を先に取付ける場合について説明すると、一次固定として、本体板５１Ａの上面（裏面）のから起立した断面略三角形状の係止部を有する係止片５１ｄ，５１ｅを、被係止部１ｆ，１ｇに係止させる。その後、二次固定として、上枠材１に形成された、ガラス溝よりも室内側の内周面の部分である繋ぎ片１ｃと、補強材６３を介して、この繋ぎ片１ｃの位置を投影した本体板５１Ａとの部分に、雄ネジ材であるビス６２を嵌入し螺着する。
【００７６】
同様に、アタッチメント下枠５２についても、一次固定として、本体板５１Ａの室外側端から下方に延在し、先端に係止部５２ｄを有する室外片５２ｂを、被係止部２ｆに係止させ、二次固定として、下枠材２に形成された、ガラス溝よりも室内側の内周面の部分である繋ぎ片２ｃと、逆Ｌ字形状の補強材６４及び外倒し障子下框下方に設けられたヒンジを介して、この繋ぎ片１ｃの位置を投影した本体板５２Ａの部分に、雄ネジ材であるビス６２を嵌入し螺着すればよい。
【００７７】
なお、アタッチメントの取外しについては、上記取付けと逆の手順を行えばよい。
【００７８】
上記のアタッチメントの取付けにおいて、上記係止手段により係止させることにより、容易に一次固定を行うことができ、それにつづく、ビス６２による固定作業において、わざわざアタッチメントを作業者が手で押さえながら固定する必要がなく、固定作業を容易に行うことができる。また、取外しにおいても、上述と同様の理由により、作業者がアタッチメントを手で抑える必要なく、ビス６２を取外すことができ、最終的に、係止状態を解除することで、容易に取外し作業を行うことができる。
【００７９】
また、アタッチメントの取付けの際は、ガスケット１０，１１を抜脱するとともにガラス８を外すという作業だけで、アタッチメントの取付け作業に取り掛かれるので、改装作業が楽である。また、アタッチメントを取外し、嵌め殺しガラス用サッシ枠のガラス溝にガラス８を嵌め入れ、ガスケット１０，１１を嵌合させるだけで嵌め殺しガラス窓が容易に形成できる。
【００８０】
【発明の効果】
以上のとおり、本発明によれば、着脱自在な改装サッシにおいて、改装作業の効率を上げるとともに、取付け強度を強化してグラツキ等を防止し、さらに、アタッチメント取付けない状態でも、嵌め殺しガラス用サッシ枠として使用でき、アタッチメント取付けた状態では、各種障子を装着できる等の利点がもたらされる。
【図面の簡単な説明】
【図１】サッシの縦断面図である。
【図２】サッシの水平断面図である。
【図３】サッシ枠組み状態の室内側からの視図である。
【図４】連結部分の室内側からの視図である。
【図５】連結部分のビス止め過程の室内側からの視図である。
【図６】連結部分のビス止め完了直前過程の室内側からの視図である。
【図７】改装サッシの縦断面図である
【図８】改装サッシの水平拡大断面図（左縦枠拡大断面図）である。
【図９】改装サッシの他に実施例における中桟部分の拡大断面図である。
【図１０】改装サッシの外観正面図である。
【符号の説明】
１…上（横）枠材、２…下（横）枠材、３…左縦枠材、４…右縦枠材、１Ａ，２Ａ，３Ａ，４Ａ…本体壁、１Ｂ，２Ｂ，３Ｂ，４Ｂ…固定片、１Ｈ，２Ｈ，３Ｈ，４Ｈ…中空部、１ａ，２ａ，３ａ，４ａ…中央片、１ｂ，２ｂ，３ｂ，４ｂ…室内片、１ｃ，２ｃ，３ｃ，４ｃ…繋ぎ片、１ｆ，１ｇ，２ｆ、３ｆ，３ｇ…被係止部、１Ｈ，２Ｈ，３Ｈ，４Ｈ…中空部、５…ビス、６Ａ，６Ｂ…躯体、９…押縁、２０…シール手段、２１…封止材、５１…アタッチメント上枠、５１Ａ…本体板、５１ａ…室内片、５１ｂ…室外片、５１ｄ…係止片、５１ｅ…係止片、５１ｆ…嵌合突起部、５２…アタッチメント下枠、５２Ａ…本体板、５２ａ…室内片、５２ｂ…室外片、５２ｃ…中央片、５２ｄ…係止部、５２ｆ…嵌合突起部、５３…アタッチメント左縦枠、５３Ａ…本体板、５３ａ…室内片、５３ｄ…係止片、５３ｅ…係止片、５３ｆ…嵌合突起部、５４…アタッチメント右縦枠、５５…アーム、５６…外倒し障子、５６ａ…上框、５６ｂ…下框、５６ｃ…左縦框、５６ｄ…レバー、５７…中桟、６０…水切り、６１…タイト材、６２…ビス、６３…補強板、６４…補強板。
【図１】
2005023574.tif 000003
【図２】
2005023574.tif 000004
【図３】
2005023574.tif 000005
【図４】
2005023574.tif 000006
【図５】
2005023574.tif 000007
【図６】
2005023574.tif 000008
【図７】
2005023574.tif 000009
【図８】
2005023574.tif 000010
【図９】
2005023574.tif 000011
【図１０】
2005023574.tif 000012
【手続補正書】
【提出日】平成15年9月17日(2003.9.17)
【手続補正１】
【補正対象書類名】図面
【補正対象項目名】図３
【補正方法】変更
【補正の内容】
【図３】
2005023574.tif 000013